(57)【要約】      （修正有）【課題】重量も軽く、安価で、無風状態でも垂れることの無い旗を提供する。【解決手段】旗本体０１０１と、旗本体の一辺に沿って設けられ、旗本体を支柱０１０２に留めるための複数の係留部０１０３と、一の係留部近傍と、旗正置時に旗本体面の前記一辺から最も離れた部位とに弓状に渡して張られた弾性部材０１０４と、からなる。一の係留部近傍とは、旗正置時に最上部以外に位置する係留部の近傍である。【選択図】図１
2008083695.tif 000002
【特許請求の範囲】
【請求項１】
旗本体と、
旗本体の一辺に沿って設けられ、旗本体を支柱に留めるための複数の係留部と、
一の係留部近傍と、旗正置時に旗本体面の前記一辺から最も離れた部位とに弓状に渡して張られた弾性部材と、
からなる旗。
【請求項２】
前記一の係留部近傍とは、旗正置時に最上部以外に位置する係留部の近傍である請求項１に記載の旗。
【請求項３】
旗を無風状態で開いた状態にするために旗本体に渡される線状弾性部材を備えた旗。
【請求項４】
前記係留部は、旗を立てる支柱に旗本体を係留するために前記支柱を締付可能な弾性素材からなる面ファスナーを有する請求項１又は２に記載の旗。
【請求項５】
前記係留部は、旗本体を壁などの面に係留するために前記面に吸着可能な吸盤を有する請求項１又は２に記載の旗。
【請求項６】
前記弾性部材は、旗本体表面に貼り付けられた透明プラスティック部材である請求項１から５のいずれか一に記載の旗。
【請求項７】
請求項６に記載の透明プラスティック部材からなる弓状の弾性部材。
【発明の詳細な説明】
【技術分野】
【０００１】
本件発明は、国旗や工事現場で使用される、安全旗、安全衛生旗、衛生旗、国際信号旗や、のぼり旗などの、布などに文字や絵図などを表示した旗に関する。
【背景技術】
【０００２】
旗は、主に布や紙などによって形成され、支柱に紐などを用いて掲揚されるのが一般的である。国旗や安全旗などは、長方形の物が多く、その縦横比は、一般的に２：３や１：２である。また、旗にはポール側をホイスト、その反対をフライという名称が付けられている。一般的に、旗の掲揚は、支柱の先端に旗のホイスト側を紐などによって取り付ける。この際、風が止んでいる場合には、旗のフライ側、ポールとは反対側が垂れ、旗に記載された文字や絵図が識別できない等の問題が発生していた。
【０００３】
そこで、特許文献１に記載の考案では、支柱に旗を垂れないように掲揚するために送風するプロペラ機構を設けている。風を常時供給することで、旗の垂れを防ぎ、旗を良好な状態に維持している。
【特許文献１】公開実用新案公報  実開平５−８４９８８
【発明の開示】
【発明が解決しようとする課題】
【０００４】
しかし、特許文献１に記載の考案では、プロペラ機構をポールに取り付けなければならない。また、プロペラ機構は、プロペラの他、駆動部などを搭載する必要があり、重量の重い機器をポール先端付近に取り付けなければならず、ポールの安定性を損なう恐れもある。さらに、プロペラを回転させるためには、電力も必要であり、装置として高価な物となってしまう。
【発明の効果】
【０００５】
そこで、本件発明では、重量も軽く、安価で、無風状態でも垂れることの無い旗を提供する。すなわち、第一の発明としては、旗本体と、旗本体の一辺に沿って設けられ、旗本体を支柱に留めるための複数の係留部と、一の係留部近傍と、旗正置時に旗本体面の前記一辺から最も離れた部位とに弓状に渡して張られた弾性部材と、からなる旗を提供する。第二の発明としては、第一の発明に係り、前記一の係留部近傍とは、旗正置時に最上部以外に位置する係留部の近傍である旗を提供する。
【発明を実施するための最良の形態】
【０００６】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【０００７】
実施形態１は、主に請求項１、２などに関する。実施形態２は、主に請求項３などに関する。実施形態３は、主に請求項４などに関する。実施形態４は、主に請求項５などに関する。実施形態５は、主に請求項６および７などに関する。
【０００８】
<実施形態１>
<実施形態１  概要>
【０００９】
本実施形態は、旗本体に弓状に張られた弾性部材を有する旗である。弾性部材は、旗本体に取り付けられており、支柱との係留部付近から、旗本体面の支柱側（ホイスト側）から最も離れた部位の間を張られている。この弾性部材により、旗は無風状態でも旗本体に記載された文字や絵図が認識できる状態に維持することが可能となる。
<実施形態１  構成>
【００１０】
図１に本実施形態の旗の概念図を示した。本実施形態の旗は、旗本体（０１０１）と、旗本体の一辺に沿って設けられ、旗本体を支柱（０１０２）に留めるための複数の係留部（０１０３）と、一の係留部近傍と、旗正置時に旗本体面の前記一辺から最も離れた部位とに弓状に渡して張られた弾性部材（０１０４）と、からなる。
【００１１】
「旗本体」は布や紙、ビニールなどの樹脂などからなる。旗本体には、文字や絵図が描かれている。通常これらの文字や絵図は、旗が風によってはためいている状態で、文字や絵図が正確に認識できるように記載されている。旗本体は、国旗や安全旗、安全衛生旗、衛生旗、国際信号旗の場合、長方形が一般的であるが、このほかにも、多角形や、円形、楕円形といった形状もある。また、のぼり旗のように縦に長い形状のものもある。
【００１２】
「係留部」は、旗本体を支柱に留める。図２に係留部の一例を示した。（ａ）は、旗本体（０２０１）に係留用の穴（０２０２）を設け、この穴と支柱（０２０３）に設けられた係留用金具（０２０４）を紐（０２０５）などによって固定し、旗本体を支柱に留める。一方（ｂ）は、旗本体（０２０６）の支柱（０２０７）側（ホイスト側）を袋状（０２０８）に形成し、この袋状に形成された穴に支柱を通すことで、支柱に旗本体を留める。
【００１３】
「弾性部材」は、係留部近傍と、旗正置時に旗本体面の一辺から最も離れた部位とに弓状に渡して張られている。図３に本実施形態の弾性部材の配置例を示した。図中のＡ、Ｂ、Ｃ、Ｄは、長方形の旗本体の４つの角を示し、破線は弾性部材を示している。（ａ）は、弾性部材をＤからＢへ配置した例である。また、（ｂ）は（ａ）と同様にＤからＢへ弾性部材を配置しているが、（ａ）はＤからＢを結ぶ対角線より旗本体の上側に弾性部材が配置され、（ｂ）は逆に対角線より下側に弾性部材が配置されている。また、（ｃ）は、（ａ）と同様に、弾性部材を対角線より上側にＤからＢへ配置されているが、（ａ）に比べ、辺ＡＤおよび辺ＡＢに沿った形状で弾性部材を配置している。例えば、旗本体に記載された文字や絵図が、弾性部材によって視認性に影響が出る場合、弾性部材の配置位置をこのように変化させることも可能である。また、（ｄ）の様に、ＤからＢへ旗本体の外側に弾性部材を配置してもよい。
【００１４】
また、弾性部材は必ずしもその端部を旗本体の角に配置する必要はなく、用途や旗本体に記載された文字や絵図に応じて、（ｅ）に示したように、端部を辺の途中に配置してもよい。
【００１５】
弾性部材は、最低限その端部が旗本体に固定されていればよい。旗本体と同一平面上に弾性部材が配置される場合、旗本体に記載された文字や絵図を妨げないように、図４の（ｂ）や（ｃ）の様にする。（ｂ）および（ｃ）は、（ａ）の旗本体（０４０１）をＡ−Ｂで切断したときの断面図である。（ｂ）では、弾性部材（０４０２）の部分を袋状（０４０３）に成形された布や紙などによって覆ったものである。この場合、旗本体上の一部、弾性部材の部分のみが覆われている。これに対して、（ｃ）では、旗本体を二重構造とし、その間に弾性部材を配置した。このように、旗本体を二重構造とすることで、配置された弾性部材が目立たない利点がある。
【００１６】
弾性部材は、最低限その端部が旗本体に固定されていればよいため、図４に示したように、弾性部材と旗本体とを同一平面上に配置する必要はない。図５は、弾性部材（０５０１）を旗本体（０５０２）とは異なる平面上に配置した例である。（ａ）は旗の斜視図であり、（ｂ）は同じ旗の平面図である。旗本体上に弾性部材の端部が固定されているが、弾性部材は、旗本体とは異なる平面上に配置されている。このように、弾性部材を旗本体とは異なる平面上に配置しても、旗本体上に弾性部材を配置した場合と同様の効果を得ることが可能である。また、弾性部材を透明な部材などを用いることで、旗本体に記述された文字や絵図を妨げる危険性を防ぐことが可能である。
【００１７】
<<のぼり旗への応用>>
【００１８】
図６にのぼり旗の一例を示した。（ａ）は従来から用いられているのぼり旗であり、（ｂ）は、本件発明の旗を応用したのぼり旗である。のぼり旗とは、一般的に、縦方向に長い旗のことである。（ａ）のような従来から用いられているのぼり旗は、旗本体（０６０１）の垂れを防ぐために、縦方向の支柱（０６０２）に旗本体の垂れを防ぐための横方向への支柱（０６０３）が設けられている。これにより、旗本体は横方向と縦方向に引張され、旗本体が垂れることを防いでいる。一方、（ｂ）の本件発明を応用したのぼり旗では、旗本体（０６０４）に弾性部材（０６０５）が配置されいるため、旗本体の垂れを防ぐことが可能であり、縦方向の支柱（０６０６）のみで、（ａ）のような横方向への支柱は必要ない。
【００１９】
<<多角形の旗への応用>>
【００２０】
本件発明は、四角形の旗のみならず、多角形の旗への応用も可能である。図７に本件発明を六角形の旗本体（０７０１）へ応用した場合の例を示した。（ａ）のように、ＡからＢへ弾性部材（０７０２）を配置した場合、三角形ＡＢＤ（０７０３）に該当する部分が弾性部材により引張される。これにより、三角形ＡＢＤより下に位置する旗は、垂れることなく、旗本体に示された文字や絵図は認識できる状態となる。しかし、三角形ＡＢＤより上方に位置する三角形ＤＢＣ（０７０４）は、弾性部材により引張はされず、垂れ下がってしまう。一方、（ｂ）のように、ＡからＣへ弾性部材を配置した場合、三角形ＡＣＤ（０７０５）に該当する部分は弾性部材により引張されるが、四角形ＣＢＦＥ（０７０６）に該当する部分は、垂れ下がってしまう。このように、旗本体が多角形の場合、弾性部材を１つ配置しただけでは、旗の垂れを防ぐことが困難である。
【００２１】
そこで、（ｃ）や（ｄ）に示したように、弾性部材を複数配置することで、旗本体の垂れを防ぐことが可能である。例えば、（ｃ）では、弾性部材を、ＡからＢとＡからＣの二本配置することで六角形の旗本体が垂れてしまうことを防いでいる。また、（ｄ）では、ＡからＢと辺ＡＤの中間近傍からＣへの二本の弾性体が配置されている。
【００２２】
このように、弾性部材を複数本配置したり、配置位置を工夫することで、多角形や、様々な形状の旗本体に応用することが可能である。
【００２３】
<<収納方法>>
【００２４】
本件発明の旗は、弾性部材が旗本体に配置されているため、従来の旗のように、折りたたんで収納することができない。しかし、図８に示したように、簡単に且つ省スペースに収納することが可能である。従来の旗は、前述のように折りたたんで収納するのが一般的である。しかし、長期にわたって折りたたんで収納した場合、折り目が皺となってしまい、掲揚した際の見栄えが悪い難点がある。そこで、本件発明の旗では、弾性部材を中心に巻き取ることで折りたたむことなく旗を簡単に且つ省スペースで収納することが可能である。
【００２５】
図８に示した旗は、（ａ−１）に示したように、旗本体の四辺が袋状に縫い合わされている（０８０４）旗や、（ａ−２）のように、旗正置時に弾性部材が固定されるように、弾性部材が可動する範囲を取り囲む袋状に縫い合わされている（０８０５）旗である。両旗本体の袋状に縫い合わされた部分に弾性部材を取り出すことが可能な穴を取り付けた。
【００２６】
図８には、本件発明の旗の収納方法を示した。（ａ−１）および（ａ−２）は旗を掲揚した状態である。本件発明の旗では、弾性部材（０８０１）の一端付近に弾性部材を取り出すことが可能な穴（０８０２）を有している。（ｂ）のように、旗を降ろし、収納する際に、この穴から弾性部材の一端を取り出し、弾性部材が（ｃ）の様に直線状態になるようにする。この直線となった弾性部材を中心に旗本体（０８０３）を丸め、弾性部材を中心に旗本体を巻き取ると、（ｄ）の様に棒状で旗を収納することが可能である。旗を弾性部材を中心に巻き取ることで、長期間収納しても折り目の付かない状態で収納することが可能となる。
【００２７】
<実施形態２>
<実施形態２  概要>
【００２８】
本実施形態は、旗を無風状態で開いた状態に保つために、旗本体に線状弾性部材を渡したことを特徴とする旗である。
<実施形態２  構成>
【００２９】
本実施形態の旗は、旗を無風状態で開いた状態にするために旗本体に渡される線状弾性部材を備えている。
【００３０】
旗本体に線状弾性部材を配置した場合、線状弾性部材自身の自重によって、旗本体が垂れ下がってしまう可能性がある。例えば、図９の（ａ）に示したように、旗本体（０９０１）上に水平方向に線状弾性部材（０９０２）を配置すると、旗本体は開いた状態を保てず、（ｂ）のように垂れ下がってしまう。このように、旗本体が垂れ下がらないように、線状弾性部材を配置するには、まず、線状弾性部材が、旗本体の旗面に対して、垂直方向にたわまないような部材を用いるとよい。線状弾性部材が、旗本体の旗面に対して垂直方向にたわまなければ、旗本体が旗面に対して垂直方向に垂れ下がることもなく、開いた状態を保つことが可能である。仮に、図１０の（ａ）に示すように、旗本体（１００１）に配置された線状弾性部材（１００２）の断面形状が円形であった場合、矢印で示したように上下左右にたわんでしまう。一方、（ｂ）に示すように、線状弾性部材の断面形状を、旗本体と接触する面を底面とする三角形にした場合、図中上下方向、旗本体の旗面に対して垂直方向にたわみにくくなる。また（ｂ）の派生として、（ｃ）のように、平面で三角形を構成しても同様である。また、三角形以外でも、（ｄ）や（ｅ）のように、断面が旗本体の旗面に対して垂直方向に長くなるような形状の線状弾性部材を配置することで、旗本体の旗面に対して垂直方向にたわみにくくなる。
【００３１】
また、この他に、線状弾性部材が、旗本体を広げる方向に弾性力を与えることで、旗本体が垂れ下がらないようにすることが可能である。図１１の（ａ）に示したように、旗本体（１１０１）に配置された線状弾性部材（１１０２）が、旗本体に対して面内方向に上部方向（矢印Ａ）と支柱側横方向（矢印Ｂ）と、支柱と反対の横方向（矢印Ｃ）に弾性力を与えることで、旗本体を開いた状態に保つことが可能となる。このように、線状弾性部材によって、旗本体を広げる方向に弾性力を与えると、旗本体はあたかも、弾性力を与えられた頂点で構成される面が、自立性を有する状態となる。これにより、旗本体は、垂れ下がることなく開いた状態を保つことが可能となる。逆に、弾性力を与えられていない頂点で構成される面は、風によりはためくなど、従来の旗と同様の動きが再現されている。線状弾性部材は、旗本体を広げる方向に弾性力を与えられれば、どのような形状で配置されてもよい、たとえば、（ｂ）に示したように、力を与えない状態で曲線状態の線状弾性部材を、直線状に旗本体に配置することで、旗本体に対して広げる方向に弾性力が与えられる。また、線状弾性部材は、旗本体を広げる方向に弾性力を与えられれば、（ｃ）のように、途中で折れたような形状であってもよいし、（ｄ）のように複数本配置されていたり、（ｅ）のように枝分かれしていてもよい。
【００３２】
線状弾性部材は、旗本体状に配置されているが、線状弾性部材の支柱側端部は、係留部近傍に配置すると、係留部により線状弾性部材が支えられ、よりたわみにくくなる。
【００３３】
尚、本実施形態で述べた、旗本体については、実施形態１とほぼ同様であるため、詳細な説明は書略する。
<実施形態２  効果>
【００３４】
本実施形態の旗により、無風状態であっても旗を開いた状態に保つことが可能となる。
【００３５】
<実施形態３>
<実施形態３  概要>
【００３６】
本実施形態の旗は、実施形態１および実施形態２の旗を基本とし、さらに面ファスナーによって旗をたてる支柱に係留されていることを特徴としている。旗を面ファスナーによって支柱に係留することで、簡単に旗を支柱に係留することが可能となる。また、面ファスナーを弾性素材によって構成することで、支柱表面に滑り止めなど特別な加工を必要とせずに、旗が支柱からずれ落ちることなく係留することが可能となる。
<実施形態３  構成>
【００３７】
本実施形態の旗は、係留部に、面ファスナーにて旗を立てる支柱に旗本体を係留するために支柱を締付可能な弾性素材からなる面ファスナーを有する。図１２に本実施形態の旗の係留部付近の拡大図を示した。本実施形態の旗本体（１２０１）には、弾性素材からなる面ファスナー（１２０２、１２０３）を用いた係留部を有している。面ファスナーは、フック面（１２０２）とループ面（１２０３）とから構成され、このフック面とループ面が重ね合わさることで互いを係止する。図１２に示した拡大図において、フック面、ループ面ともに、面ファスナーの長さ方向に、面ファスナーは伸縮する弾性素材である。旗本体から、フック面およびループ面からなる一対の面ファスナーが、重なり合うように伸びており、フック面およびループ面は、対向しないように、一方がもう一方の裏面側に向くように配置されている。これらの面ファスナーが支柱を巻き付けることによって、旗を支柱に係留する。尚、面ファスナーとフック面とループ面の配置位置は逆であってもよい。
【００３８】
図１３に本実施形態の旗本体（１３０１）を支柱（１３０２）に固定するときの手順を示した概念図を示した。まず、旗本体から伸びた面ファスナー（１３０３、１３０４）のうち、外側の面に面ファスナーが配置された部分（１３０３）を、支柱に巻き付ける（ｂ）。このとき、支柱に巻き付けた面ファスナーが外側に来るように、面ファスナーを巻き付ける。そして、（ｂ）の状態から、支柱に巻き付けていない側、つまり内側に面ファスナーが配置された部分（１３０４）を、（ｂ）の状態で支柱に巻き付けられている面ファスナーに重なるように、支柱に巻き付け、（ｃ）の状態にする。このとき、面ファスナーのフック面およびループ面は、外側および内側のどちらに配置されていてもよいが、必ずどちらかが、フック面で、もう一方はループ面である必要がある。また、（ｂ）および（ｃ）において、フック面およびループ面の面ファスナーを支柱に巻き付ける際は、面ファスナーを面ファスナーの長さ方向に引張させた状態で巻き付ける。これにより旗が、支柱に確実に係留され、風などの影響で、旗が支柱からずれ落ちることがなくなる。
【００３９】
図１２および図１３に示した以外に、例えば、図１４に示したように、一枚の面ファスナーの両面にフック面（１４０１）およびループ面（１４０２）を配置してもよい。両面にフック面およびループ面を配置した場合、支柱（１４０３）に対して、どちらかの面を内側にして、面ファスナーを支柱に巻き、支柱の周りを一周以上巻くことで、面ファスナーのフック面およびループ面同士が向かい合い、系止される。支柱に巻き付ける際に、弾性材料からなる面ファスナーを、長さ方向に引張させた状態で巻き付けることで、支柱に確実に係留させることが可能である。図１２および図１３に示した、面ファスナーに比べ、図１４に示した面ファスナーは、構成が簡単であり、安価に製造することが可能である。しかし、単純に面ファスナーを支柱に巻き付けるだけであるため、風などによって、旗本体が支柱の周りを、面ファスナーの巻き付け方向と逆に回転した場合、面ファスナーの系止がはずれてしまう恐れがある。この場合には、図１５に示したように、支柱（１５０１）に、面ファスナー（１５０２）を通すための、係留穴（１５０３）を設けることで、風などによって、面ファスナーがはずれることを防ぐことが可能である。
【００４０】
また、面ファスナーの大きさは、旗本体の支柱側と同じ高さであっても良い。図１６に示したように、面ファスナー（１６０１）の縦方向の大きさを、旗本体（１６０２）と同じにすることで、面ファスナーによって系止される面積が広がり、面ファスナーがはずれにくくなる。
【００４１】
面ファスナー以外にも、弾性材料からなる紐を旗本体に取り付け、支柱に結びつけることで、旗本体を固定させても良い。このとき、前述の弾性材料からなる面ファスナーと同様に、引張しながら結びつけることで、支柱にずれが生じることなく固定することが可能である。
<実施形態３  効果>
【００４２】
本実施形態の旗のように、旗本体を面ファスナーによって支柱に係留することで、簡単に旗を支柱に係留することが可能となる。また、面ファスナーを弾性素材によって構成することで、支柱表面に滑り止めなど特別な加工を必要とせずに、旗が支柱からずれ落ちることなく係留することが可能となる。
【００４３】
<実施形態４>
<実施形態４  概要>
【００４４】
本実施形態の旗は、実施形態１から実施形態３の旗を基本とし、さらに係留部に吸盤を有することを特徴とした旗である。旗本体の係留部に吸盤を設けることで、旗を立てるために支柱を必要とせずに、壁面などの面に吸盤によって旗を取り付けることが可能となる。
<実施形態４  構成>
【００４５】
本実施形態の旗は、旗本体を壁などの面に係留するために吸盤を有する。吸盤は、壁やガラスなどの面に吸着可能であって、支柱を必要とせずに旗本体を設置することが可能である。図１７に本実施形態の旗の概念図を示した。本実施形態の旗は、旗本体（１７０１）に弾性部材（１７０２）を有し、係留部に旗本体を壁などの面に係留するための吸盤（１７０３）を有している。旗本体の係留部に配置される吸盤は、一つ以上あればよい。旗本体に配置される吸盤の数は、吸盤の大きさや旗本体の大きさを考慮し、旗本体が無風状態で開いた状態を保てる数を配置する。旗本体に取り付ける吸盤は、図１７に示したように、旗本体に縦方向に並べて配置するとよい。
【００４６】
図１８の（ａ）に示したように、旗本体（１８０１）の係留部に配置される吸盤（１８０２）は、線状弾性部材（１８０３）と関係なく配置されていてもよいが、（ｂ）のように吸盤によって線状弾性部材を係止してもよい。このとき、吸盤は、線状弾性部材が旗本体に対して上下方向に可動するように係止する。これにより吸盤は、線状弾性部材から、旗を広げる方向に働く弾性力を受ける。この際、線状弾性部材が、吸盤からはずれないように、抜け防止のリング（１８０４）を設けると良い。
<実施形態４  効果>
【００４７】
本実施形態の旗により、支柱や支柱を立てるための台を使用しなくとも旗を設置することが可能となる。
【００４８】
<実施形態５>
<実施形態５  概要>
【００４９】
本実施形態は、実施形態１から実施形態４を基本とし、弾性部材が透明なプラスティック部材であって、旗本体表面に貼り付けられていることを特徴とした旗である。弾性部材を旗表面に配置しても目立ちにくい、透明なプラスティック部材とし、旗本体に直接配置することで、製造時の行程を減らすことが可能となる。
<実施形態５  構成>
【００５０】
本実施形態の旗は、弾性部材が旗本体表面に貼り付けられた透明プラスティック部材である。
【００５１】
図１９に本実施形態の透明プラスティック部材からなる弾性部材の断面図を示した。弾性部材は、旗本体を開いた状態に保つための弾性力を与える管状の部分（１９０１）と、旗本体に取り付けるための部分（１９０２）から構成されている。旗本体に取り付けるための平面の部分は、（ａ）や（ｂ）のように、弾性力を与える部分の左右に有していてもよいし、（ｃ）や（ｄ）のように、片側だけであってもよい。また、この断面形状は、実施形態２でも述べたように、（ｅ）や（ｆ）のように断面形状が三角形や四角形などの多角形にすることで、たわみを抑えることが可能である。これらの弾性部材を旗本体に取り付けるには、旗本体に取り付けるための部分に、両面テープや接着剤などによって、旗本体に貼り付けてもよいし、図２０に示したように、ミシンなどを用いて、縫製してもよい。また、旗本体に取り付けるための部分は、縫製の際に作業がスムーズに行えるよう、左右で長さを変化させても良い。例えば、先に旗本体に取り付けるための部分の短い側を、旗本体に縫製し、他方の長い側を後に縫製することで、縫製がしやすくなる。
【００５２】
弾性部材を旗本体に取り付けるとき、弾性部材は、予め弓状など、旗本体に取り付ける形状に成形されていてもよい。逆に、弾性部材を旗本体の取り付ける際に、直線状の弾性部材を弓状などの形状に変形させながら取り付けてもよい。
<実施形態５  具体例>
【００５３】
図２１に本実施形態の弾性部材の具体例を示した。（ａ）は、管状の弾性力を与える部分の左右に、旗本体に取り付けるための平面部分を有し、（ｂ）は、管状の弾性力を与える部分の左右どちらか一方に、旗本体に取り付けるための平面部分を有している弾性部材である。（ａ）および（ｂ）ともに、管状の部分の直径は略７ｍｍで、管状部分を構成する透明プラスティックの厚さは略１ｍｍである。旗本体に取り付けるための平面部分の幅は、略５ｍｍであって、平面部分を構成する透明プラスティックの厚さは略０．８ｍｍである。本実施形態の弾性部材を構成する透明プラスティックは、ポリエチレンやポリプロピレンなどからなっている。管状の弾性力を与える部分は、旗を開いた状態に保持するだけの弾性力を与える剛性力が必要である。また、図１５に示した本実施形態の弾性部材は、縫製によって旗本体に取り付けることを想定しているため、平面部分の厚さは縫製が可能な厚さとなっている。
【図面の簡単な説明】
【００５４】
【図１】実施形態１の旗の概略図
【図２】実施形態１の旗の支柱への取り付け方法を説明する概略図
【図３】実施形態１の弾性部材の配置方法を説明する概略図
【図４】実施形態１の弾性部材の旗本体への配置方法を説明する概略図
【図５】実施形態１の弾性部材の配置方法を説明する概略図
【図６】本件発明の旗ののぼり旗への応用例
【図７】旗本体の形状が多角形の場合の弾性部材の配置方法を説明するための概略図
【図８】本件発明の旗の収納方法を説明する概略図
【図９】実施形態２の旗を説明するための概念図
【図１０】実施形態２の旗を説明するための概念図
【図１１】実施形態２の旗を説明するための概念図
【図１２】実施形態３の面ファスナーの取り付け方法を説明するための概念図
【図１３】実施形態３の旗の支柱への取り付け方法を説明するための概念図
【図１４】実施形態３の面ファスナーの取り付け方法を説明するための概念図
【図１５】実施形態３の面ファスナーの取り付け方法を説明するための概念図
【図１６】実施形態３の面ファスナーの取り付け方法を説明するための概念図
【図１７】実施形態４の旗を説明するための概念図
【図１８】実施形態４の旗を説明するための概念図
【図１９】実施形態５の弾性部材の断面概念図
【図２０】実施形態５の弾性部材の取り付け方法を説明するための概念図
【図２１】実施形態５の弾性部材の具体例
【符号の説明】
【００５５】
０１０１  旗本体
０１０２  支柱
０１０３  係留部
０１０４  弾性部材
【図１】
2008083695.tif 000003
【図２】
2008083695.tif 000004
【図３】
2008083695.tif 000005
【図４】
2008083695.tif 000006
【図５】
2008083695.tif 000007
【図６】
2008083695.tif 000008
【図７】
2008083695.tif 000009
【図８】
2008083695.tif 000010
【図９】
2008083695.tif 000011
【図１０】
2008083695.tif 000012
【図１１】
2008083695.tif 000013
【図１２】
2008083695.tif 000014
【図１３】
2008083695.tif 000015
【図１４】
2008083695.tif 000016
【図１５】
2008083695.tif 000017
【図１６】
2008083695.tif 000018
【図１７】
2008083695.tif 000019
【図１８】
2008083695.tif 000020
【図１９】
2008083695.tif 000021
【図２０】
2008083695.tif 000022
【図２１】
2008083695.tif 000023